(57)【要約】【課題】脱塩素機能を備えるとともに、カートリッジ内の薬剤の交換が容易であり、かつ、カートリッジが通水を遮ることによる圧力損失が発生し難いシャワーヘッド用グリップを提供する。【解決手段】シャワーヘッド用グリップ１は、両端に開口部７ａ，７ｂを有するとともにシャワーヘッド５及びシャワーホース６の取付部が形成された中空形状の本体部２内に、断面中央部に穿設された貫通孔１０の周囲に薬剤を収納するための収納部１１が形成された二重筒状体のカートリッジ３が挿脱自在に挿設されており、貫通孔１０には第一の通水路が形成され、収納部１１内にはその両端にそれぞれ設けられた導入口１２から吐出口１３に向かう第二の通水路が形成されることを特徴とする。【選択図】図１
0003121329.tif 000002
【実用新案登録請求の範囲】
【請求項１】
本体部の両端に開口部を有し、前記本体部の一端にシャワーヘッド取付部が設けられ、他端にシャワーホース取付部が設けられた中空形状のシャワーヘッド用グリップにおいて、断面中央部に貫通孔が設けられるとともにこの貫通孔の周囲に薬剤を収納するための収納部が形成された二重筒状体を備え、前記貫通孔は第一の通水路を形成し、前記収納部は両端に導入口及び吐出口が設けられるとともに、この導入口から吐出口に向かう第二の通水路を形成することを特徴とするシャワーヘッド用グリップ。
【請求項２】
前記本体部は、上端に前記シャワーヘッド取付部が形成された本体上部と、下端に前記シャワーホース取付部が形成され前記本体上部と着脱可能な本体下部とから成り、前記収納部は前記本体上部及び前記本体下部によって形成される中空部に挿脱自在に挿設されることを特徴とする請求項１に記載のシャワーヘッド用グリップ。
【請求項３】
前記二重筒状体の貫通孔が形成する第一の通水路の流路面積は前記シャワーホース取付部側から前記シャワーヘッド取付部側へ向かうに連れて減少することを特徴とする請求項１又は請求項２に記載のシャワーヘッド用グリップ。
【請求項４】
前記本体部は前記二重筒状体の吐出口位置から前記シャワーヘッド取付部側に向かうにつれて縮径され、その内径は前記収納部の吐出口の内側径よりも小さいことを特徴とする請求項１乃至請求項３のいずれか１項に記載のシャワーヘッド用グリップ。
【請求項５】
前記収納部は前記導入口及び前記吐出口をそれぞれ覆う多孔質膜を備えることを特徴とする請求項１乃至請求項４のいずれか１項に記載のシャワーヘッド用グリップ。
【請求項６】
前記薬剤は、粒状又は粉状のアスコルビン酸であることを特徴とする請求項１乃至請求項５のいずれか１項に記載のシャワーヘッド用グリップ。
【考案の詳細な説明】
【技術分野】
【０００１】
本考案は、浴室や洗面所等で使用するシャワー設備に用いられるシャワーヘッド用グリップに係り、特にシャワー設備に供給される水道水中の残留塩素を除去する機能を備えたシャワーヘッド用グリップに関する。
【背景技術】
【０００２】
一般家庭の浴室等で使用されるシャワー設備には、通常、原水として水道水が供給される。ところが、水道水は殺菌用の塩素を含んでおり、頭髪や肌を傷める危険性がある。そこで、塩素除去機能付きのシャワー設備が盛んに開発されており、これまでにも幾つかの発明や考案が開示されている。
【０００３】
例えば、特許文献１には、「薬剤徐放機能付シャワーヘッド及び薬剤徐放カートリッジ」という名称で、内部に充填された薬剤を流水中に安定して徐放することが可能な薬剤徐放カートリッジとそれを備えた薬剤徐放機能付シャワーヘッドに関する発明が開示されている。
【０００４】
以下、図５を参照しながら、特許文献１に開示された発明について説明する。
図５は従来技術の薬剤徐放機能付シャワーヘッドの縦断面図である。
図５に示すように、従来技術に係る発明である薬剤徐放機能付浴用シャワーヘッド５１は、下流端と上流端に吐出口５２ａとねじ部５２ｂがそれぞれ形成されるとともに上流端から下流端に至る流路５２ｃが内部に形成された筒体からなる第一部分５２と、下流端にねじ部５３ａが形成されるとともに上流端から下流端に至る流路５３ｂが内部に形成された筒体からなる第二部分５３とを備え、流路５３ｂは上流端から延びる小径部５３ｃと、この小径部５３ｃに接続する拡径部５３ｄとからなり、拡径部５３ｄは下流端へ向かって漏斗状に広がった構造となっている。第二部分５３は、ねじ部５２ｂに螺合した状態で第一部分５２に連結されており、上流端に給水ホース５６が接続されるとともに、側面に水抜き弁５４が取り付けられている。また、第一部分５２の流路５２ｃ内には、一端が閉鎖され他端が完全開放された直円筒体５５ａと、この直円筒体５５ａの開放端を覆う多孔質膜５５ｂと、直円筒体５５ａの外面に形成された複数の突起５５ｃとから構成される薬剤徐放カートリッジ５５がその開放端を上流側に向けて挿入されている。薬剤徐放カートリッジ５５は硬質材からなり、内部にアスコルビン酸の粉末とアスコルビン酸飽和水溶液が充填されるとともに、その周囲には環状流路５２ｄが形成されている。さらに、直円筒体５５ａの開放端の開口面積は開放端近傍の流路５３ｄの流路面積と同程度に設定されている。
上記構造の「薬剤徐放機能付シャワーヘッド」においては、水道水に混入したアスコルビン酸によって残留塩素が除去される。また、薬剤徐放カートリッジ５５の開放端が多孔質膜５５ｂによって覆われているため、拡径部５３ｄを流れる水道水の一部が徐々に薬剤徐放カートリッジ５５内へ流入し、アスコルビン酸飽和水溶液は少しずつ放出される。そして、薬剤徐放カートリッジ５５が硬質材で形成されているため、内部に充填されたアスコルビン酸の粉末又はアスコルビン酸飽和水溶液が外圧による変形によって過剰に放出されるというおそれがない。
【０００５】
また、特許文献２には、「塩素除去機能付きシャワーヘッド」という名称で、手元で止水操作を行うことができるとともに、原水と塩素除去水とを切換えて通水することが可能な塩素除去機能付きシャワーヘッドに関する発明が開示されている。
特許文献２に開示された発明は、塩素中和剤の水溶液が内部に充填されるとともにこの水溶液を通水路に注出させるための注出口が下端に設けられた容器と、外部からの操作により止水状態、原水通水及び脱塩素水通水の状態に切り換える切換弁と、この切換弁が脱塩素水通水のための開放状態にある場合に注出口を開くシャッターとをシャワーヘッド本体が備えた構造となっている。
上記構造の「塩素除去機能付きシャワーヘッド」においては、塩素中和剤の使用量を制御して、塩素中和作用を長期間持続させることが可能である。
【０００６】
さらに、特許文献３には「脱塩素フィルター」という名称で、通水性を高めるとともに、ろ過剤の過度の溶出を防ぐことが可能な脱塩素フィルターに関する発明が開示されている。
特許文献３に開示された発明は、水道水中の残留塩素を分解可能なろ過剤により形成された柱状体を筒状のカートリッジ容器内に挿脱自在に挿置し、この柱状体の内部や周囲に通水経路や通水溝を設けたことを特徴とするものである。
上記構造の「脱塩素フィルター」においては、水道水が通水経路内を流れるため、その勢いが低下するおそれがなく、また、ろ過剤間を流れる水の量が少なくなることによって、ろ過剤の溶解量が抑えられるという作用を有する。
【０００７】
【特許文献１】特開平０９−１８７６８１号公報
【特許文献２】特開２００１−２１８６９１号公報
【特許文献３】特開平０７−６８２７５号公報
【考案の開示】
【考案が解決しようとする課題】
【０００８】
しかしながら、上述の従来技術である特許文献１に開示された発明においては、下流端が閉塞された薬剤徐放カートリッジ５５によって通水が遮られ、圧力損失が発生するという課題があった。
【０００９】
特許文献２に開示された発明においても、塩素中和剤の水溶液が内部に充填された容器の注出口が下端にのみ設けられているため、特許文献１に開示された発明と同様に、容器内で圧力損失が発生することにより流水の勢いが減殺されてしまうという課題があった。
【００１０】
また、特許文献３に開示された発明においては、柱状体がろ過剤を固めて形成されたものであるため、ろ過剤の溶解に伴い、柱状体に設けられた通水経路や通水溝の形状が変化する。この場合には、ろ過剤の溶解量が変動するため、残留塩素を分解する効果を長期間安定して維持することが困難となる。また、ろ過剤の溶解量を把握することが容易でなく、柱状体の原形が残っている間はろ過剤の補充ができないという課題があった。
【００１１】
本考案はかかる従来の事情に対処してなされたものであり、脱塩素機能を備えるとともに、カートリッジ内の薬剤の交換が容易であり、かつ、カートリッジが通水を遮ることによる圧力損失が発生し難いシャワーヘッド用グリップを提供することを目的とする。
【課題を解決するための手段】
【００１２】
上記目的を達成するため、請求項１記載の考案であるシャワーヘッド用グリップは、本体部の両端に開口部を有し、本体部の一端にシャワーヘッド取付部が設けられ、他端にシャワーホース取付部が設けられた中空形状のシャワーヘッド用グリップにおいて、断面中央部に貫通孔が設けられるとともにこの貫通孔の周囲に薬剤を収納するための収納部が形成された二重筒状体を備え、貫通孔は第一の通水路を形成し、収納部は両端に導入口及び吐出口が設けられるとともに、この導入口から吐出口に向かう第二の通水路を形成することを特徴とするものである。
このような構成のシャワーヘッド用グリップにおいては、二重筒状体が通水を遮らないため、圧力損失が発生し難いという作用を有する。
【００１３】
また、請求項２記載の考案は、請求項１に記載のシャワーヘッド用グリップにおいて、本体部は、上端にシャワーヘッド取付部が形成された本体上部と、下端にシャワーホース取付部が形成され本体上部と着脱可能な本体下部とから成り、収納部は本体上部及び本体下部によって形成される中空部に挿脱自在に挿設されることを特徴とするものである。
このような構成のシャワーヘッド用グリップにおいては、収納部内の薬剤の補充や交換を容易にするという作用を有する。
【００１４】
請求項３記載の考案は、請求項１又は請求項２に記載のシャワーヘッド用グリップにおいて、二重筒状体の貫通孔が形成する第一の通水路の流路面積はシャワーホース取付部側からシャワーヘッド取付部側へ向かうに連れて減少することを特徴とするものである。
このような構成のシャワーヘッド用グリップにおいては、第一の通水路が下流側で先細りして水（温水）の流速を増加させて動圧を増加させ、もって静圧を減少させることで、二重筒状体の出口近傍の周囲に対して負圧を生じさせるという作用を有する。
【００１５】
請求項４記載の考案は、請求項１乃至請求項３のいずれか１項に記載のシャワーヘッド用グリップにおいて、本体部は二重筒状体の吐出口位置からシャワーヘッド取付部側に向かうにつれて縮径され、その内径は収納部の吐出口の内側径よりも小さいことを特徴とするものである。
このような構成のシャワーヘッド用グリップにおいては、二重筒状体から流出した水（温水）の一部が本体部の内壁面に衝突し反転した後、内壁面に沿って渦流を形成し、本体部の水平断面の中央部を流れる水と合流して再び上昇する流れを形成する。
【００１６】
請求項５記載の考案は、請求項１乃至請求項４のいずれか１項に記載のシャワーヘッド用グリップにおいて、収納部は導入口及び吐出口をそれぞれ覆う多孔質膜を備えることを特徴とするものである。
このような構成のシャワーヘッド用グリップにおいては、多孔質膜の孔径や膜厚等に応じて、収納部から流出する薬剤の量が調節される。
【００１７】
請求項６記載の考案は、請求項１乃至請求項５のいずれか１項に記載のシャワーヘッド用グリップにおいて、薬剤は、粒状又は粉状のアスコルビン酸であることを特徴とするものである。
このような構成のシャワーヘッド用グリップにおいては、アスコルビン酸によりシャワーホースから供給される水道水（温水）中の塩素が除去される。また、アスコルビン酸が粒状又は粉状であるため、流水に溶解し易い。
【考案の効果】
【００１８】
以上説明したように、本考案の請求項１に記載のシャワーヘッド用グリップにおいては、圧力損失が小さいため、エネルギーの無駄を少なくすることができる。
【００１９】
本考案の請求項２に記載のシャワーヘッド用グリップにおいては、薬剤の補充や交換を容易に行うことができるため、保守性に優れる。
【００２０】
本考案の請求項３に記載のシャワーヘッド用グリップにおいては、二重筒状体の出口近傍において、第一の通水路のからの吐出水（吐出温水）に第二の通水路からの吐出水（吐出温水）が引き寄せられるように流れが形成され効率よく混合させることが可能である。
【００２１】
本考案の請求項４に記載のシャワーヘッド用グリップによれば、本体部の上部に形成される二重筒状体の吐出口位置からシャワーヘッド取付部側に向かう空間において、第一の通水路からの吐出水（温水）による渦流によって、第二の通水路からの吐出水に含まれる溶解した薬剤を流水中で満遍なく分散させることができる。
【００２２】
本考案の請求項５に記載のシャワーヘッド用グリップにおいては、流水中の塩素除去作用を安定して維持することが可能である。
【００２３】
本考案の請求項６に記載のシャワーヘッド用グリップにおいては、アスコルビン酸を薬剤として使用することで、塩素除去に際して薬剤の人体への影響をなくし、安価で容易に薬剤を調達することが可能となる。
【考案を実施するための最良の形態】
【００２４】
以下に、本考案の最良の実施の形態に係るシャワーヘッド用グリップの実施例について図１乃至図４を用いて説明する。
【実施例】
【００２５】
まず、本実施例のシャワーヘッド用グリップの構造について、図１及び図２を用いて説明する。
図１は本考案の実施の形態に係るシャワーヘッド用グリップの縦断面図である。また、図２（ａ）及び（ｂ）はそれぞれ図１のシャワーヘッド用グリップの本体上部及び本体下部の外観図である。
図１に示すように、シャワーヘッド用グリップ１は、両端に開口部７ａ，７ｂを有する略円筒形状の本体部２内に、断面中央部に穿設された貫通孔１０の周囲に収納部１１が形成された二重構造の略円筒形状であって蓋３ａとカートリッジ本体３ｂとから構成されるカートリッジ３が挿脱自在に挿設された構造となっている。なお、本体部２及びカートリッジ３は硬質の合成樹脂により形成されている。
カートリッジ３の蓋３ａには本体部２の、カートリッジ３出口側に形成される空間部１９ａに連通する吐出口１３が設けられ、カートリッジ本体３ｂには本体部２の、カートリッジ３入口側に形成される空間部１９ｂに連通する導入口１２が設けられている。そして、蓋３ａはカートリッジ本体３ｂの上部にＯ型ゴム製リング１６ｂ，１６ｃを介して着脱可能に取付けられており、収納部１１内にはアスコルビン酸が収納されている。
本体部２は本体上部２ａと本体下部２ｂとからなり、本体上部２ａの上端には雌ネジ８ａが螺設されてシャワーヘッド５の取付部を形成し、本体下部２ｂの下端には雄ネジ９ｂが螺設されてシャワーホース６の取付部を形成している。そして、本体上部２ａに形成された空間部１９ａの内径は吐出口１３の位置、すなわち、カートリッジ３の上端からシャワーヘッド５の取付部が設けられた開口部７ａに向かうにつれて徐々に小さくなっている。
図２に示されるとおり、本体上部２ａの下端及び本体下部２ｂの上端には雄ネジ９ａ及び雌ネジ８ｂがそれぞれ螺設されており、本体上部２ａは雄ネジ９ａが雌ネジ８ｂに螺合した状態でＯ型ゴム製リング１６ａを介して本体下部２ｂに着脱可能に接続されている。また、蓋３ａの上端縁はゴム製パッキン１７ａを介して段差部１５ａに当接し、カートリッジ本体３ｂの下端縁はゴム製パッキン１７ｂを介して段差部１５ｂに当接している。すなわち、カートリッジ３は、その両端を段差部１５ａ，１５ｂによって挟まれた状態で本体部２の中空部１４ａ，１４ｂに固定されている。
【００２６】
このような構造のシャワーヘッド用グリップ１においては、シャワーホース６から開口部７ｂを経て空間部１９ｂに供給された水が、貫通孔１０の開口部７ｄ及び導入口１２を通って貫通孔１０及び収納部１１の内部にそれぞれ流入する。収納部１１内に流入した水はアスコルビン酸の一部を溶解させた後、吐出口１３から流出し、さらに、空間部１９ａにおいて貫通孔１０の開口部７ｃから流出した水と合流する。そして、溶解したアスコルビン酸によって塩素成分が除去された水が開口部７ａを経てシャワーヘッド５から噴射される。なお、アスコルビン酸の溶解量が少なすぎると、流水中の残留塩素成分の除去が不完全となるため、収納部１１に収納するアスコルビン酸は、粒状又は粉状として流水への溶解を容易にすることが望ましい。この場合、アスコルビン酸の溶解量の調節も容易となり、流水中に含まれる塩素の除去効果を長期間維持することが可能となる。
また、本実施例のシャワーヘッド用グリップ１によれば、カートリッジ３が通水を妨げないため、圧力損失を小さくしてエネルギーの無駄を省くことができる。さらに、カートリッジ３の交換が容易であることに加え、収納部１１内のアスコルビン酸の補充や交換も容易である。従って、保守性が良い。さらに、残留塩素除去のための薬剤としてアスコルビン酸を選択することで、人体や排出後の環境にも優しく、経済的でもあり入手や管理も容易となる。
【００２７】
次に、シャワーヘッド用グリップ１内の水の流れについて図３及び図４を用いて説明する。
図３（ａ）及び（ｂ）はそれぞれカートリッジの蓋の正面図及び上面図であり、（ｃ）乃至（ｅ）はそれぞれカートリッジ本体の上面図、正面図及び底面図である。また、図４は図１のシャワーヘッド用グリップ内に形成される通水路を説明するための概念図である。
蓋３ａは下端に雄ネジ９ｃが螺設され、断面中央部に貫通孔１０ａが設けられ（図３（ａ））、水平方向に貫通孔１０ａを挟んで略対称に吐出口１３が２箇所穿設されている（図３（ｂ））。また、カートリッジ本体３ｂは上端に雄ネジ９ｃと螺合可能な雌ネジ８ｃが螺設され、断面中央部に貫通孔１０ｂが穿設されるとともに、上端に開口部７ｅを有する収納部１１が貫通孔１０ｂの周囲に形成されている（図３（ｃ）及び（ｄ））。さらに、収納部１１の下端には水平方向に貫通孔１０ｂを挟んで略対称に２つの導入口１２が設けられている（図３（ｅ））。なお、吐出口１３及び導入口１２はそれぞれ多孔質膜４ａ，４ｂにより覆われており、多孔質膜４ａ，４ｂの孔径や膜厚等を調整することにより収納部１１からのアスコルビン酸の流出量を調節可能となっている。これにより、アスコルビン酸による流水中の塩素除去作用を短期間に集中したり長期間維持したりすることが可能である。
【００２８】
また、蓋３ａをカートリッジ本体３ｂの上部に開口部７ｅを覆うように取り付けると、貫通孔１０ａと貫通孔１０ｂは連通して貫通孔１０を形成し、吐出口１３は開口部７ｅに連通する。従って、開口部７ｂから空間部１９ｂに流入した水は、貫通孔１０内を流れる通水路１８ａと、収納部１１内を流れる通水路１８ｂとに分流し、空間部１９ａにおいて再び合流する（図４）。
さらに、既に述べたように、空間部１９ａはカートリッジ３の上端から開口部７ａに向かうにつれて内径が徐々に小さくなるように形成されている。そして、その内径の最小値は、吐出口１３の内側間距離Ｄ１、すなわち、吐出口１３の中心間距離Ｐから吐出口１３の直径Ｄ２を引いた値よりも小さく、かつ、貫通孔１０の開口部７ｃの径よりも大きくなるように設定されている。従って、空間部１９ａで合流した水の一部は矢印Ａで示すように本体上部２ａの内壁面に衝突して反転した後、内壁面に沿って下降する渦流を形成し、本体上部２ａの水平断面の中央部で合流して再び上昇する流れを形成する。これにより、通水路１８ｂで溶解したアスコルビン酸が空間部１９ａで十分に攪拌されて満遍なく流水中に分散されるのである。
貫通孔１０ｂは開口部７ｄから開口部７ｅに向かうにつれて内径が徐々に小さくなっており、貫通孔１０ａ，１０ｂにより形成される貫通孔１０はいわゆる先細りノズル形状をなしている（図３（ｄ））。従って、通水路１８ａの流路面積の減少に伴って、通水路１８ａの水（温水）は流速を増しながら開口部７ｄから開口部７ｃに向かい、開口部７ｃから空間部１９ａへと流出する。
【００２９】
ここで、流水の動圧は流速の自乗に比例し、動圧と静圧の和はエネルギー保存の法則から一定となることが知られている（ベルヌーイの定理）。すなわち、流速の増加によって動圧が増加すると、静圧が減少する。従って、空間部１９ａにおいて周囲よりも流速が速い通水路１８ａの出口側では、カートリッジ３の通水路１８ｂ出口近傍の周囲に比較して負圧となり、その近傍の水を巻き込んで流れるような作用が生じる。その結果、通水路１８ａと通水路１８ｂからの流水は効率よく混合されることになる。すなわち、前述のアスコルビン酸の流水中への分散作用がより促進されるのである。
さらに、本実施の形態においては通水路１８ｂの流路面積を徐々に拡大させている。これは通水路１８ａの流路面積を徐々に減少させていくことによって、付帯的にそのように形成されているということだけでなく、薬剤であるアスコルビン酸の収納部１１としてより多く封入することを可能とし、また、通水路１８ｂでの圧力損失を可能な限り低下させて、アスコルビン酸の流水中への溶出を促進させるためである。
【００３０】
なお、本考案のシャワーヘッド用グリップ１は本実施例に示した構成に限定されるものではなく、種々変形可能である。例えば、本体部２及びカートリッジ３はそれぞれ中空形状及び二重筒状体であれば良く、必ずしも円筒形状に限定されるものではない。その素材も硬質の合成樹脂に限らず、軽量で錆び難いものであれば良い。また、カートリッジ３は蓋３ａとカートリッジ本体３ｂの一体構造とすることもできる。さらに、導入口１２や吐出口１３はカートリッジ３の両端にそれぞれ形成されていれば良く、その配置、大きさ及び個数は適宜変更可能である。さらに、空間部１９ａの内径の最小値を貫通孔１０ａの径よりも小さくなるように設定しても良い。この場合、圧力損失が大きくなるものの、図４に矢印Ａで示した流水の量が増加するため、溶解したアスコルビン酸を分散させる効果が増すという作用を生じる。
また、アスコルビン酸は粒状や粉状に限らず、固形状であっても良い。また、脱塩素機能を有するものであれば、アスコルビン酸以外の薬剤を使用することもできる。なお、薬剤の概念は、脱塩素機能を有するものに限らず、洗浄機能や精神安定機能などを備えるようなものも含む。従って、脱塩素機能を備えた薬剤の他に、洗剤や香料を含むようなものを単独で、あるいはこれらを複合的に含むようなものをカートリッジ３に収納した構造としても良い。
【産業上の利用可能性】
【００３１】
以上説明したように、請求項１乃至請求項６に記載された本考案は、浴室等で使用するシャワー設備以外に、機器等の洗浄設備や洗車設備に用いられる放水用ノズルに対しても適用可能である。
【図面の簡単な説明】
【００３２】
【図１】本考案の実施の形態に係るシャワーヘッド用グリップの縦断面図である。
【図２】（ａ）及び（ｂ）はそれぞれ図１のシャワーヘッド用グリップの本体上部及び本体下部の外観図である。
【図３】（ａ）及び（ｂ）はそれぞれカートリッジの蓋の正面図及び上面図であり、（ｃ）乃至（ｅ）はそれぞれカートリッジ本体の上面図、正面図及び底面図である。
【図４】図１のシャワーヘッド用グリップ内に形成される通水路を説明するための概念図である。
【図５】従来技術の薬剤徐放機能付シャワーヘッドの縦断面図である。
【符号の説明】
【００３３】
１…シャワーヘッド用グリップ  ２…本体  ２ａ…本体上部  ２ｂ…本体下部  ３…カートリッジ  ３ａ…蓋  ３ｂ…カートリッジ本体  ４ａ，４ｂ…多孔質膜  ５…シャワーヘッド  ６…シャワーホース  ７ａ〜７ｅ…開口部  ８ａ〜８ｃ…雌ネジ  ９ａ〜９ｃ…雄ネジ  １０，１０ａ，１０ｂ…貫通孔  １１…収納部  １２…導入口  １３…吐出口  １４ａ，１４ｂ…中空部  １５ａ，１５ｂ…段差部  １６ａ〜１６ｃ…Ｏ型ゴム製リング  １７ａ，１７ｂ…ゴム製パッキン  １８ａ，１８ｂ…通水路  １９ａ，１９ｂ…空間部  ５１…薬剤徐放機能付浴用シャワーヘッド  ５２…第一部分  ５２ａ…吐出口  ５２ｂ…ねじ部  ５２ｃ…流路  ５２ｄ…環状流路  ５３…第二部分  ５３ａ…ねじ部  ５３ｂ…流路  ５３ｃ…小径部  ５３ｄ…拡径部  ５４…水抜き弁  ５５…薬剤徐放カートリッジ  ５５ａ…直円筒体  ５５ｂ…多孔質膜  ５５ｃ…突起  ５６…給水ホース  Ａ…矢印  Ｄ１…吐出口内側間距離  Ｄ2…吐出口直径  Ｐ…吐出口中心間距離
【図１】
0003121329.tif 000003
【図２】
0003121329.tif 000004
【図３】
0003121329.tif 000005
【図４】
0003121329.tif 000006
【図５】
0003121329.tif 000007